(57)【要約】【課題】  ねじれ角が未知のねじれ配向液晶フィルムの光学パラメータを、液晶フィルムの光学特性によらず精度よく算出できる光学パラメータ算出方法を提供すること。【解決手段】  本発明は、配向軸が厚さ方向にねじれた液晶フィルム４の光学パラメータ算出方法において、フィルム４を偏光子３と検光子５間に配置し、偏光子３、フィルム４、検光子５を経て出射される光を分光して透過スペクトルを測定し透過率の極小値が最小となるよう偏光子３及び検光子５の透過軸間の角Δθを調整して最小透過率を示す波長λｍｉｎを読み取り、Δθ及びλｍｉｎに基づきフィルム４の光学パラメータを算出する。【選択図】図１
2006017939.tif 000002
【特許請求の範囲】
【請求項１】
配向軸が厚さ方向に沿ってねじれているねじれ配向液晶フィルムの光学パラメータ算出方法において、
前記ねじれ配向液晶フィルムを偏光子と検光子との間に配置する第１工程と、
前記偏光子、前記ねじれ配向液晶フィルムおよび前記検光子を経て出射される光を分光して透過スペクトルを測定する第２工程と、
前記第２工程で測定された前記透過スペクトルにおいて透過率の極小値が最小となるように前記偏光子の透過軸と前記検光子の透過軸とのなす角Δθを調整し、その時の最小透過率を示す波長λｍｉｎを読み取る第３工程と、
前記Δθ及び前記λｍｉｎに基づいて前記ねじれ配向液晶フィルムの光学パラメータを算出する第４工程と、
を含むことを特徴とするねじれ配向液晶フィルムの光学パラメータ算出方法。
【請求項２】
前記第４工程において、下記式：
φｔｗ＝Δθ−９０°±１８０°×ｎ・・・（１）
（上記式（１）中、φｔｗは前記ねじれ配向液晶フィルムにおける前記配向軸のねじれ角、Δθは、前記偏光子の透過軸と前記検光子の透過軸とのなす角を表す）
におけるｎを算出し、算出されたｎと、前記第３工程で得られたΔθを前記式（１）に代入することにより、前記ねじれ配向液晶フィルムの光学パラメータとしての前記配向軸のねじれ角φｔｗを算出することを特徴とする請求項１に記載の光学パラメータ算出方法。
【請求項３】
前記第４工程において、前記第３工程で得られたΔθ、λｍｉｎより、下記式（１）：
φｔｗ＝Δθ−９０°±１８０°×ｎ      ・・・（１）
（上記式（１）中、φｔｗは前記ねじれ配向液晶フィルムにおける前記配向軸のねじれ角、Δθは、前記偏光子の透過軸と前記検光子の透過軸とのなす角を表す）及び下記式（２）：
【数１】
2006017939.tif 000009
（上記式（２）中、λｍｉｎは前記透過率の極小値が最小となる波長、Δｎｄ（λｍｉｎ）はλｍｉｎの波長におけるリタデーションを表す）
に基づいて、前記ねじれ配向液晶フィルムの光学パラメータとしてのねじれ角φｔｗおよびリタデーションΔｎｄを算出することを特徴とする請求項１又は２に記載の光学パラメータ算出方法。
【請求項４】
前記第３工程と前記第４工程との間に、
前記第３工程で得られたΔθをもとに前記偏光子及び前記検光子の透過軸間の相対角度を（Δθ−９０°）に保ったまま前記偏光子及び前記検光子を回転させ、前記偏光子、前記ねじれ配向液晶フィルム及び前記検光子を経て出射される光を分光して透過スペクトルを測定する第５工程と、
前記第５工程で測定された透過スペクトルにおいて、透過率の極小値が最小となるように前記偏光子の透過軸θｐ及び前記検光子の透過軸の角度を調整する第６工程とを更に含み、
前記第４工程において、前記θｐ、前記Δθ及び前記λｍｉｎに基づいて前記ねじれ配向液晶フィルムの光学パラメータを算出することを特徴とする請求項１に記載のねじれ配向液晶フィルムの光学パラメータ算出方法。
【請求項５】
前記第４工程において、
下記式：
φ＝θｐ−４５°・・・（４）
（上記式中、φは前記ねじれ配向液晶フィルムの偏光子側の配向軸、θｐは、前記偏光子の透過軸の角度を表す）
より、前記ねじれ配向液晶フィルムの光学パラメータとしての偏光子側配向軸を求めることを特徴とする請求項４に記載の光学パラメータ算出方法。
【請求項６】
前記第４工程が、
前記偏光子の透過軸をθｐに、前記検光子の透過軸をθｐ＋Δθに配置し、前記偏光子、前記ねじれ配向液晶フィルムおよび前記検光子を経て出射される光を分光して透過スペクトルを測定する第７工程と、
前記第３工程で得られたΔθ、λｍｉｎより、下記式（１）：
φｔｗ＝Δθ−９０°±１８０°×ｎ      ・・・（１）
（上記式（１）中、φｔｗは前記ねじれ配向液晶フィルムにおける前記配向軸のねじれ角、Δθは、前記偏光子の透過軸と前記検光子の透過軸とのなす角を表す）及び下記式（２）：
【数２】
2006017939.tif 000010
（上記式（２）中、λｍｉｎは前記透過率の極小値が最小となる波長、Δｎｄ（λｍｉｎ）はλｍｉｎの波長におけるリタデーションを表す）
に基づいて、前記ねじれ配向液晶フィルムの光学パラメータとしてのねじれ角およびリタデーションを、それぞれｎとｍを用いた関係式で表す第８工程と、
下記式（３）：
【数３】
2006017939.tif 000011
から算出される理論スペクトルと前記第７工程で得られた透過スペクトルとが一致するように前記式（１）および（２）のｎおよびｍを決定し、前記ねじれ配向液晶フィルムの光学パラメータとしてのねじれ角およびリタデーションを求める第９工程と、
を含むことを特徴とする請求項４に記載の光学パラメータ算出方法。
【発明の詳細な説明】
【技術分野】
【０００１】
本発明は、厚さ方向に沿って配向軸がねじれているねじれ配向液晶フィルムの品質管理などに使用されるねじれ配向液晶フィルムの光学パラメータ算出方法に関する。
【背景技術】
【０００２】
パーソナルコンピュータなどのモニタとして、省スペース化の観点から、液晶ディスプレイがよく用いられるようになっている。液晶ディスプレイでは、特に薄型化及び生産性向上の観点から、厚さ方向に沿って配向軸がねじれているねじれ配向液晶フィルムがよく用いられている。
【０００３】
このようなねじれ配向液晶フィルムについては、その品質管理が重要なものとなっている。一般には、配向軸のねじれ角やリタデーションΔｎｄ（Δｎは複屈折、ｄはねじれ配向液晶フィルムの厚さを表す）等の光学パラメータがねじれ配向液晶フィルムの品質の目安とされ、これら光学パラメータに基づいてねじれ配向液晶フィルムの品質管理が行われる。従って、大量のねじれ配向液晶フィルムについて品質管理を行う場合には、光学パラメータを効率よく算出することが重要となる。
【０００４】
このような光学パラメータの算出方法としては、従来、下記特許文献１に開示されるものが知られている。この特許文献１には、ねじれ角が既知の液晶セルについて、偏光子と検光子との間に当該液晶セルを挿入し、偏光子の偏光角を液晶セルの光入射面の配向方向から４５°傾け、検光子の偏光角を液晶セルの光出射面の配向方向からさらに４５°傾けた状態で、偏光子の透過光強度を測定し、測定された光強度に基づいてリタデーションΔｎｄを演算する方法が開示されている。
【０００５】
また、ねじれ配向液晶フィルムの光学パラメータ算出方法としては、偏光解析法も知られている。偏光解析法は、単波長で測定を行い、入射光の偏光状態とねじれ配向液晶フィルムを通った後の出射光の偏光状態を分析し、ねじれ配向液晶フィルムの光学特性を決めるものである。
【特許文献１】特開平４−３０７３１２号公報
【発明の開示】
【発明が解決しようとする課題】
【０００６】
しかしながら、上記特許文献１に記載の光学パラメータ算出方法では、ねじれ角が既知の液晶セルのリタデーションは容易に算出できるものの、ねじれ角が未知のねじれ配向液晶フィルムについては、リタデーション等の光学パラメータを精度よく算出することができない。
【０００７】
また上記偏光解析法は、単波長で測定する分、測定速度は速いものの、出射光の偏光状態が測定感度に影響を与える為、ねじれ配向液晶フィルムの光学特性によっては、リタデーション等のパラメータを精度よく求めることができない。
【０００８】
本発明は、上記事情に鑑みてなされたものであり、ねじれ角が未知のねじれ配向液晶フィルムの光学パラメータを、ねじれ配向液晶フィルムの光学特性によらずに精度よく算出できるねじれ配向液晶フィルムの光学パラメータ算出方法を提供することを目的とする。
【課題を解決するための手段】
【０００９】
本発明は、配向軸が厚さ方向に沿ってねじれているねじれ配向液晶フィルムの光学パラメータ算出方法において、前記ねじれ配向液晶フィルムを偏光子と検光子との間に配置する第１工程と、前記偏光子、前記ねじれ配向液晶フィルムおよび前記検光子を経て出射される光を分光して透過スペクトルを測定する第２工程と、前記第２工程で測定された透過スペクトルにおいて透過率の極小値が最小となるように前記偏光子の透過軸と前記検光子の透過軸とのなす角Δθを調整し、その時の最小透過率を示す波長λｍｉｎを読み取る第３工程と、前記Δθ及び前記λｍｉｎに基づいて前記ねじれ配向液晶フィルムの光学パラメータを算出する第４工程とを含むことを特徴とする。
【００１０】
この光学パラメータ算出方法によれば、ねじれ角が未知のねじれ配向液晶フィルムの光学パラメータを、ねじれ配向液晶フィルムの光学特性によらずに精度よく算出できる。
【００１１】
上記第４工程において、ねじれ配向液晶フィルムの光学パラメータとしての配向軸のねじれ角φｔｗは、例えば下記式（１）：
φｔｗ＝Δθ−９０°±１８０°×ｎ・・・（１）
（上記式（１）中、φｔｗは前記ねじれ配向液晶フィルムにおける前記配向軸のねじれ角、Δθは、前記偏光子の透過軸と前記検光子の透過軸とのなす角を表す）
におけるｎを算出し、算出されたｎと、前記第３工程で得られたΔθを前記式（１）に代入することにより算出することができる。
【００１２】
上記第４工程において、第３工程で得られたΔθ、λｍｉｎより、下記式（１）：
φｔｗ＝Δθ−９０°±１８０°×ｎ      ・・・（１）
（上記式（１）中、φｔｗは前記ねじれ配向液晶フィルムにおける前記配向軸のねじれ角、Δθは、前記偏光子の透過軸と前記検光子の透過軸とのなす角を表す）及び下記式（２）：
【数４】
2006017939.tif 000003
（上記式（２）中、λｍｉｎは前記透過率の極小値が最小となる波長、Δｎｄ（λｍｉｎ）はλｍｉｎの波長におけるリタデーションを表す）
に基づいて、前記ねじれ配向液晶フィルムの光学パラメータとしてのねじれ角φｔｗおよびリタデーションΔｎｄを算出することが好ましい。
【００１３】
この場合、ねじれ角が高精度に算出されることにより、リタデーションも高精度に算出されることになる。  また本発明による光学パラメータ算出方法は、上記第３工程と第４工程との間に、第３工程で得られたΔθをもとに前記偏光子及び前記検光子の透過軸間の相対角度を（Δθ−９０°）に保ったまま前記偏光子及び前記検光子を回転させ、前記偏光子、前記ねじれ配向液晶フィルム及び前記検光子を経て出射される光を分光して透過スペクトルを測定する第５工程と、前記第５工程で測定された透過スペクトルにおいて、透過率の極小値が最小となるように前記偏光子の透過軸θｐ及び前記検光子の透過軸の角度を調整する第６工程とを更に含み、前記第４工程において、前記θｐ、前記Δθ及び前記λｍｉｎに基づいて前記ねじれ配向液晶フィルムの光学パラメータを算出することが好ましい。
【００１４】
この場合、第５工程および第６工程を含まない場合に比べて、より高い精度でねじれ配向液晶フィルムの光学パラメータを算出することができる。
【００１５】
また上記第４工程において、下記式（４）：
φ＝θｐ−４５°・・・（４）
（上記式中、φは前記ねじれ配向液晶フィルムの偏光子側の配向軸、θｐは、前記偏光子の透過軸の角度を表す）
より、前記ねじれ配向液晶フィルムの光学パラメータとしての偏光子側配向軸を求めてもよい。
【００１６】
この場合、θｐが高い精度で算出されるので、偏光子側の配向軸の角度を精度よく算出することができる。
【００１７】
また上記光学パラメータの算出方法において、上記第４工程が、前記偏光子の透過軸をθｐに、前記検光子の透過軸をθｐ＋Δθに配置し、前記偏光子、前記ねじれ配向液晶フィルムおよび前記検光子を経て出射される光を分光して透過スペクトルを測定する第７工程と、前記第３工程で得られたΔθ、λｍｉｎより、下記式（１）：
φｔｗ＝Δθ−９０°±１８０°×ｎ      ・・・（１）
（上記式（１）中、φｔｗは前記ねじれ配向液晶フィルムにおける前記配向軸のねじれ角、Δθは、前記偏光子の透過軸と前記検光子の透過軸とのなす角を表す）及び下記式（２）：
【数５】
2006017939.tif 000004
（上記式（２）中、λｍｉｎは前記透過率の極小値が最小となる波長、Δｎｄ（λｍｉｎ）はλｍｉｎの波長におけるリタデーションを表す）
に基づいて、前記ねじれ配向液晶フィルムの光学パラメータとしてのねじれ角およびリタデーションを、それぞれｎとｍを用いた関係式で表す第８工程と、
下記式（３）：
【数６】
2006017939.tif 000005
から算出される理論スペクトルと前記第７工程で得られた透過スペクトルとが一致するように前記式（１）および（２）のｎおよびｍを決定し、前記ねじれ配向液晶フィルムの光学パラメータとしてのねじれ角およびリタデーションを求める第９工程とを更に含むことが好ましい。
【００１８】
この場合、ねじれ配向液晶フィルムの光学パラメータであるねじれ角およびリタデーションをより高い精度で算出することができる。
【発明の効果】
【００１９】
本発明のねじれ配向液晶フィルムの光学パラメータ算出方法によれば、ねじれ角が未知のねじれ配向液晶フィルムの光学パラメータを、ねじれ配向液晶フィルムの光学特性によらずに精度よく算出できる。
【発明を実施するための最良の形態】
【００２０】
以下、本発明のねじれ配向液晶フィルムの光学パラメータ算出方法の実施形態について詳細に説明する。
【００２１】
先ず、光学パラメータ算出方法の説明に先立ち、光学パラメータを算出する光学パラメータ算出装置について説明する。
【００２２】
図１は、光学パラメータ算出装置の一例を示す概略図である。図１に示すように、光学パラメータ算出装置１は、光源２と、偏光子３と、検光子５と、分光器６とを備えており、光源２、偏光子３、検光子５及び分光器６は光軸７に沿って順次配置されている。光源２としては、白色光を発するものが用いられる。
【００２３】
偏光子３は透過軸を有し、光源２から出射される光を、透過軸に沿って振動する直線偏光に変換するものであり、検光子５は透過軸を有し、偏光子３側から入射される光を、透過軸に沿って振動する直線偏光に変換するものである。偏光子３及び検光子５はいずれも、透過軸を光軸７の回りに回転させることが可能となっており、偏光子３の透過軸と検光子５の透過軸とのなす角を任意に調整することが可能となっている。本実施形態では、偏光子３及び検光子５は、図示しない駆動装置を介してコンピュータに接続され、コンピュータを操作することにより自動的に偏光子３及び検光子５を回転させることが可能となっている。
【００２４】
分光器６は、検光子５から入射される光を分光して透過スペクトルを測定するためのものである。
【００２５】
次に、上述した光学パラメータ算出装置１を用いたねじれ配向液晶フィルムの光学パラメータ算出方法について説明する。
【００２６】
先ず、ねじれ配向液晶フィルム（以下、単に「液晶フィルム」と言う）４を用意する。ここで、液晶フィルム４は互いに平行な第１面及び第２面を有しており、液晶の配向軸は、第１面または第２面と平行になっている。本実施形態の液晶フィルム４としては、液晶ディスプレイ用のもの、すなわち透過率の極小値が最小となる波長λｍｉｎが可視光の波長領域内（例えば４００〜８００ｎｍの範囲内）にあるものが用いられる。そして、液晶フィルム４を、第１面又は第２面が光軸７と直交するように偏光子３と検光子５との間に配置する（第１工程）。
【００２７】
次に、透過スペクトルを測定する（第２工程）。透過スペクトルの測定は、光源２を点灯し、光源２から、偏光子３、液晶フィルム４及び検光子５を経て出射される光を分光器６で分光することにより行うことができる。このとき、図２に示すように、透過スペクトルにおいては、可視光の波長領域内の波長λｍｉｎにおいて透過率が極小となる。これは、波長λｍｉｎの光については、液晶フィルム４に入射される直線偏光が直線偏光として出射されることを意味する。
【００２８】
そして、透過スペクトルの測定結果を見ながら、偏光子３を固定した状態で、検光子５を光軸７の回りに回転させることにより、透過スペクトルにおける透過率の極小値が最小となるように偏光子３の透過軸と検光子５の透過軸とのなす角Δθの調整を行い、その時の最小透過率を示す波長λｍｉｎを読み取る（第３工程）。
【００２９】
ここで、透過率の極小値を基準としてΔθの調整を行うのは、透過率の最大値を基準とする場合では分光器６の素子において透過率が飽和してしまう可能性があり、その場合には現実の光学パラメータとのずれが非常に大きくなる可能性をはらんでいるためである。
【００３０】
なお、偏光子３の透過軸と検光子５の透過軸とのなす角とは、偏光子３の透過軸及び検光子５の透過軸を光軸７に直交する面に投影した場合における偏光子３の透過軸と検光子５の透過軸とのなす角を言う。
【００３１】
次に、上記第３工程で得られたΔθをもとに偏光子３、検光子５の相対角度（Δθ−９０°）を保ったまま偏光子３及び検光子５を回転させ、偏光子３、ねじれ配向液晶フィルム４及び検光子５を経て出射される光を分光して透過スペクトルを測定する（第５工程）。
【００３２】
続いて、上記第４工程で測定された透過スペクトルにおいて、透過率の極小値が最小となるように偏光子３の透過軸θp及び検光子５の透過軸の角度を調整する（第６工程）。
【００３３】
上記のようにしてθｐ、Δθ及びλｍｉｎを求めたならば、θｐ、Δθ及びλｍｉｎに基づいてねじれ配向液晶フィルム４の光学パラメータを算出する（第４工程）。
【００３４】
ここで、θｐ、Δθ及びλｍｉｎに基づいてねじれ配向液晶フィルム４の光学パラメータを算出する方法について具体的に説明する。
【００３５】
まず偏光子３の透過軸をθpに、検光子５の透過軸をθp＋Δθに配置し、偏光子３、液晶フィルム４および検光子５を経て出射される光を分光して透過スペクトルを測定する（第７工程）。
【００３６】
次に、上記第３工程で得られたΔθ、λｍｉｎより、下記式（１）及び（２）に基づいて、液晶フィルム４の光学パラメータであるねじれ角およびリタデーションを、それぞれｎとｍを用いた関係式で表す（第８工程）。
φｔｗ＝Δθ−９０°±１８０°×ｎ      ・・・（１）
（上記式（１）中、φｔｗは液晶フィルム４における配向軸のねじれ角、Δθは、偏光子３の透過軸と検光子５の透過軸とのなす角を表す）
【数７】
2006017939.tif 000006
（上記式（２）中、λｍｉｎは透過率の極小値が最小となる波長、Δｎｄ（λｍｉｎ）はλｍｉｎの波長におけるリタデーションを表す）
【００３７】
ここで、上記式（１）の導出過程について説明する。
【００３８】
図３は、検光子５側から光源２を眺めたときの液晶フィルム４を示す正面図である。図３において、符号８は検光子５の透過軸、符号９は液晶フィルム４の検光子５側の液晶の配向軸、符号１０は偏光子３の透過軸、符号１１は液晶フィルム４の偏光子３側の液晶の配向軸を示すものである。
【００３９】
図３に示すように、透過スペクトルにおける透過率の極小値が最小となるときは、偏光子３の透過軸１０から液晶フィルムのねじれ角＋９０°だけ進んだところに、検光子５の透過軸８が配置されるようになる。偏光子、検光子の透過軸は頭尾の区別がないことから０°と±１８０°などの区別がつかない。従って、偏光子３の透過軸１０の角度をθｐ、検光子５の透過軸８の角度をθＡとし、θＡ−θｐをΔθとすれば、ねじれ角φｔｗは、
θＡ＝θｐ＋φｔｗ＋９０°
φｔｗ＝θＡ−θｐ−９０°
＝Δθ−９０°
で表される。ただし、偏光子、検光子は０°ど１８０°の区別ができないので、実際にΔθからねじれ角を求める際には１８０°周期で答えが存在することになる。即ち、実際にはφｔｗは、下記式：
φｔｗ＝θＡ−θｐ−９０°±１８０°×ｎ
で表される。
【００４０】
上記のように、透過スペクトルにおける透過率の極小値が最小となる場合において、偏光子３の透過軸１０と検光子５の透過軸８の相対角度が、液晶フィルム４のねじれ角に対応する理由は次の通りである。
【００４１】
すなわち、透過率Ｔは一般に下記式：
【数８】
2006017939.tif 000007
で表される。そして、透過スペクトルにおける透過率の極小値が最小となる場合においては、理論的にはＴ＝０となる。そこで、上記式において、Ｔ＝０の場合の解を算出すると、偏光子３の透過軸１０と検光子５の透過軸８の相対角度が、液晶フィルム４のねじれ角＋９０°もしくは−９０°に対応する角度となる。
【００４２】
上記のようにして液晶フィルム４の光学パラメータであるねじれ角およびリタデーションを、それぞれｎとｍを用いた関係式で表したならば、下記式（３）：
【数９】
2006017939.tif 000008
から算出される理論スペクトルと上記第７工程で得られた透過スペクトルとが一致するように式（１）および（２）のｎおよびｍを決定する。こうして決定したｎおよびΔθを上記式（１）に代入することにより、液晶フィルム４の光学パラメータの一つであるねじれ角φｔｗが求められる。
【００４３】
また、上記のようにして決定したｍと、ねじれ角φｔｗと、λｍｉｎを上記式（２）に代入することにより、液晶フィルム４の光学パラメータの一つであるリタデーションΔｎｄが求められる（第９工程）。
【００４４】
上記光学パラメータ算出方法によれば、液晶フィルム４のねじれ角が未知であっても、液晶フィルム４の光学特性によらずにねじれ角φｔｗ及びリタデーションΔｎｄを精度よく算出できる。
【００４５】
なお、上記のようにしてねじれ角φｔｗ及びリタデーションΔｎｄを算出した後は、得られた偏光子３の透過軸から液晶フィルム４の偏光子３側の配向軸を算出してもよい（第１０工程）。
【００４６】
ここで、液晶フィルム４の偏光子３側の配向軸の算出方法について具体的に説明する。
【００４７】
上記式（１）に、Δθ−９０°を代入すると、もう一つＴ＝０となる条件が存在する。それは、偏光子３の透過軸１０と液晶フィルム４の偏光子３側の配向軸１１とのなす角、及び検光子５の透過軸８と液晶フィルム４の検光子５側の配向軸９とのなす角が４５°となる場合である。このときには偏光子３の透過軸１０（検光子５の透過軸８）と液晶フィルム４の偏光子３側の配向軸１１（液晶フィルム４の検光子５側の配向軸９）とのなす角、及び検光子５の透過軸８と液晶フィルム４の検光子５側の配向軸９とのなす角が必ず４５°と決まっているので、Δθ−９０°の条件下でＴ＝０となる偏光子３の透過軸１０を見つける。これにより、即座に下記式（４）から液晶フィルム４の偏光子３側の配向軸１１を求めることができる。
φ＝θｐ−４５°・・・（４）
（上記式（４）中、φは液晶フィルム４の偏光子３側の配向軸、θｐは、偏光子３の透過軸の角度を表す）
【００４８】
このようにして液晶フィルム４の偏光子３側の配向軸１１を求める場合、θｐをより精度よく算出できるので、偏光子３側の配向軸１１についてもより高い精度で算出することができる。
【００４９】
本発明に係るねじれ配向液晶フィルムの光学パラメータ算出方法は、上記実施形態に限定されるものではない。例えば上記実施形態では、ねじれ角φｔｗ及びリタデーションΔｎｄを算出した後に、液晶フィルム４の偏光子３側の配向軸１１（液晶フィルム４の検光子５側の配向軸）を算出しているが、本発明の光学パラメータ算出方法では、液晶フィルム４の偏光子３側の配向軸１１（液晶フィルム４の検光子５側の配向軸）を算出した後に、ねじれ角φｔｗ及びリタデーションΔｎｄを算出してもよいし、これらを同時に算出してもよい。また、計算のジオメトリーに注意すれば、算出するのは液晶フィルムの偏光子側の配向軸でも液晶フィルムの検光子側の配向軸、どちらでも問題はない。
【００５０】
更に、上記実施形態では、ねじれ角及びリタデーションを同時に算出しているが、ねじれ角φｔｗを算出した後にリタデーションΔｎｄを算出することも可能である。このとき、ねじれ角については例えば以下のようにして算出する。即ち液晶フィルム４の配向軸のねじれ角φｔｗは、例えば上記式（１）：
φｔｗ＝Δθ−９０°±１８０°×ｎ・・・（１）
におけるｎを算出し、算出されたｎと、上記第３工程で得られたΔθを上記式（１）に代入することにより算出することができる。
【００５１】
ここで、ｎを算出する方法としては、例えば電子顕微鏡によるフィルム断面観察のような方法がある。
【００５２】
上記実施形態では、上記（１）式を用いてねじれ角φｔｗを算出した後、こうして算出したねじれ角φｔｗと上記（２）式とに基づいてリタデーションを算出することも可能である。
但し、この場合、上記（２）式において、ｍは、下記条件：
ｍπ＞φｔｗ、
ｍ＝１〜４
を満たすものとする。
【図面の簡単な説明】
【００５３】
【図１】本発明の光学パラメータ算出方法に用いる測定装置の一例を示す概略図である。
【図２】偏光子と検光子との間に配置した状態で測定されるねじれ配向液晶フィルムの透過スペクトルを示すグラフである。
【図３】検光子側から光源を眺めたときのねじれ配向液晶フィルムを示す正面図である。
【符号の説明】
【００５４】
３…偏光子、４…ねじれ配向液晶フィルム、５…検光子、φｔｗ…ねじれ角、Δθ…偏光子の透過軸と検光子の透過軸とのなす角、Δｎｄ…リタデーション、Δδ…位相差、λｍｉｎ…透過率の極小値が最小となる波長。
【図１】
2006017939.tif 000012
【図２】
2006017939.tif 000013
【図３】
2006017939.tif 000014